(57)【要約】【課題】ステンレス鋼のような難削材の旋削加工において、切削インサートの境界損傷を防ぐことによりインサート寿命の延長を図りつつ、生成された切屑は確実に処理する。【解決手段】すくい面２の辺稜部に形成された一対の切刃４同士が交差するコーナ部にコーナ刃５が形成された切削インサートにあって、切刃４に連なるすくい面２にはそれぞれ、各切刃４に連なって切刃４から離間するに従い漸次後退するように傾斜するとともに切刃４に沿ってコーナ刃５側から離間するに従い漸次幅広となるポジすくい面２と、このポジすくい面２の切刃４と反対側に連なり切刃４から離間するに従いポジすくい面２よりも大きな傾斜角で漸次後退するように傾斜するブレーカ壁面８Ａとを形成して、一対の切刃４のうち一方の切刃４に連なるポジすくい面２の延長線上に、他方の切刃４に連なるブレーカ壁面８Ａが位置するように配置する。【選択図】図５
2010214562.tif 000002
【特許請求の範囲】
【請求項１】
すくい面の辺稜部に形成された一対の切刃同士が交差する上記すくい面のコーナ部にコーナ刃が形成された切削インサートであって、上記一対の切刃に連なる上記すくい面にはそれぞれ、各切刃に連なって該切刃から離間するに従い漸次後退するように傾斜するとともに該切刃に沿って上記コーナ刃側から離間するに従い漸次幅広となるポジすくい面と、このポジすくい面の上記切刃と反対側に連なり該切刃から離間するに従い上記ポジすくい面よりも大きな傾斜角で漸次後退するように傾斜するブレーカ壁面とが形成されていて、上記一対の切刃のうち一方の切刃に連なる上記ポジすくい面の延長線上に、他方の切刃に連なる上記ブレーカ壁面が位置するように配置されていることを特徴とする切削インサート。
【請求項２】
上記切刃に垂直な断面における上記ポジすくい面の傾斜角が、該切刃に沿って一定とされていることを特徴とする請求項１に記載の切削インサート。
【請求項３】
上記切刃に垂直な断面における上記ブレーカ壁面の傾斜角が、該切刃に沿って上記コーナ刃から離間するに従い漸次小さくなることを特徴とする請求項１または請求項２に記載の切削インサート。
【請求項４】
上記ブレーカ壁面同士の間には、上記平面に垂直に延びるブレーカ底面が形成されていることを特徴とする請求項１から請求項３のうちいずれか一項に記載の切削インサート。
【発明の詳細な説明】
【技術分野】
【０００１】
本発明は、インサート着脱式の旋削工具に取り付けられて被削材の旋削加工を行う切削インサートであって、特にステンレス鋼のような難削材を被削材とした場合でも境界摩耗等の損傷を抑制することが可能な切削インサートに関するものである。
に関するものである。
【背景技術】
【０００２】
このような旋削加工に用いられる切削インサートにおいて、例えば特許文献１には、軽切削から中切削までの幅広い範囲で切屑処理を可能とするものとして、すくい面に切刃に沿うブレーカ溝を形成するとともに、切刃のコーナ部にはボス面の突起を延在させ、この突起の先端を平面視においてコーナ部を囲む凹状とし、この凹状を呈する突起の２つの頂部から切刃近くに張り出して最長となる起立角度１０°〜３０°の起立面を形成し、この起立面がコーナ部から離れるに従い切刃より遠くなるように形成したものが提案されている。
【０００３】
また、特許文献２、３には、特に切り込み量の小さい仕上げ切削における切屑の処理を図るために、すくい面上のコーナ部近傍にくぼみを設けるとともに、このくぼみのコーナ部とは反対側にブレーカとなる傾斜面やリブを設けたものが提案されている。
【先行技術文献】
【特許文献】
【０００４】
【特許文献１】特開２００６−２７２５４８号公報
【特許文献２】特許第２９６６００７号公報
【特許文献３】特開２００４−２１６５１０号公報
【発明の概要】
【発明が解決しようとする課題】
【０００５】
ところで、このような切削インサートによって、例えばステンレス鋼のような難削材の旋削加工を行うときには、特に切り込み量がある程度大きくてコーナ部の切刃（コーナ刃）からこれに連なって直線状に延びる切刃までが被削材に切り込まれる場合に、この切刃の切り込み境界部分に生じる摩耗等の境界損傷が顕著になる。これは、ステンレス鋼のような難削材では、切刃によって切削された加工面側の切り込み境界部分にバリが発生し易く、しかもこうして発生したバリは加工硬化を生じているため、被削材が回転して切刃がこのバリを削り取る際に、硬化したバリによって該切刃やすくい面の切り込み境界部分に損傷が与えられてしまうためである。
【０００６】
従って、このような境界損傷を防いで切削インサートの寿命を延長するには、切刃の切れ味を鋭くして切削抵抗を低減することにより切屑を滑らかに生成してバリの発生を抑制する必要があるが、特許文献１に記載の切削インサートのようにすくい面に突起を延在させたり、特許文献２、３に記載の切削インサートのようにコーナ部近傍のくぼみのコーナ部とは反対側にブレーカやリブを設けたりしたのでは、これら突起やブレーカ、リブに切屑が衝突した際に詰まりを生じて抵抗が大きくなり、バリの発生を抑制することができない。
【０００７】
また、その一方で、このように滑らかに生成された切屑も、そのままでは連続して延びてしまって被削材やインサート着脱式旋削工具の工具本体に絡まったりするため、過度の大きさとならない程度の抵抗を与えて切屑をカールさせることにより分断して処理しなければならない。しかしながら、特に特許文献２、３に記載の切削インサートのようにくぼみがすくい面のコーナ部近傍に設けられただけのものであると、切り込み量が大きい場合には幅広に生成される切屑がくぼみを乗り越えてしまうため、このような切屑の処理を図ることも容易ではない。
【０００８】
本発明は、このような背景の下になされたもので、ステンレス鋼のような難削材の旋削加工において、被削材の加工面にバリが発生するのを抑えて切削インサートの境界損傷を防ぐことによりインサート寿命の延長を図りつつ、生成された切屑は確実に処理して円滑な旋削加工を行うことが可能な切削インサートを提供することを目的としている。
【課題を解決するための手段】
【０００９】
上記課題を解決して、このような目的を達成するために、本発明は、すくい面の辺稜部に形成された一対の切刃同士が交差する上記すくい面のコーナ部にコーナ刃が形成された切削インサートであって、上記一対の切刃に連なる上記すくい面にはそれぞれ、各切刃に連なって該切刃から離間するに従い漸次後退するように傾斜するとともに該切刃に沿って上記コーナ刃側から離間するに従い漸次幅広となるポジすくい面と、このポジすくい面の上記切刃と反対側に連なり該切刃から離間するに従い上記ポジすくい面よりも大きな傾斜角で漸次後退するように傾斜するブレーカ壁面とが形成されていて、上記一対の切刃のうち一方の切刃に連なる上記ポジすくい面の延長線上に、他方の切刃に連なる上記ブレーカ壁面が位置するように配置されていることを特徴とする。
【００１０】
このように構成された切削インサートでは、まずコーナ刃に交差した一対の切刃に連なるすくい面に、各切刃に連なって該切刃から離間するに従い漸次後退するように傾斜するポジすくい面がそれぞれ形成されており、従ってこれら切刃のすくい角を正角側に大きくすることができて、その切れ味を鋭くすることにより切削抵抗の低減を図り、加工面側の切り込み境界部分にバリが発生するのを抑えることができる。また、このポジすくい面は、切刃に沿ってコーナ刃側から離間するに従い漸次幅広となるようにされているため、切り込み量が大きくなるに従い幅広となる切屑はこのポジすくい面を擦過する距離も長くなるので、切り込み量に応じた適度の摩擦抵抗を与えつつ切屑を円滑に流出させることができる。
【００１１】
そして、このポジすくい面の切刃と反対側には、このポジすくい面に連なって切刃から離間するに従い該ポジすくい面よりも大きな傾斜角で漸次後退するように傾斜するブレーカ壁面が形成されており、一対の切刃のうち一方の切刃に連なるポジすくい面の延長線上に、他方の切刃に連なるブレーカ壁面が位置するように配置されているので、一方の切刃によって生成されて上述のようにポジすくい面を擦過して適度な抵抗を与えられつつ流出した切屑は、このポジすくい面とは反対側のポジすくい面を介して他方の切刃に連なるブレーカ壁面に当たることになる。このため、このブレーカ壁面によって切屑を適切にカールさせて確実に分断処理することができる。
【００１２】
ここで、上記切刃に垂直な断面における上記ポジすくい面の傾斜角は、該切刃に沿って一定とすることにより、切刃の切れ味も一定とすることができるので、切り込み量が大きくなって切屑が幅広になっても、その幅方向において切屑に作用する抵抗が部分的に大きくなって詰まりを生じたりするのを防ぐことができ、より確実に切屑の円滑な流出を促すことが可能となる。
【００１３】
これに対して、上記切刃に垂直な断面における上記ブレーカ壁面の傾斜角は、該切刃に沿って上記コーナ刃から離間するに従い漸次小さくなるようにすることにより、上述のように大きな切り込み量で幅広に生成された切屑がポジすくい面から反対側のブレーカ壁面に当たってカールさせられる際に抵抗が大きくなりすぎるのを防ぐことができる。このため、一層確実な切屑処理を図りつつも、円滑な切屑の流出は妨げずにバリの発生を抑制することが可能となる。
【００１４】
なお、このように切り込み量が大きくはなく、コーナ刃の部分のみが使用される仕上げ旋削の場合には、加工面側にバリが生じることは少なく、このコーナ刃によって生成された切屑は、コーナ部を二等分する上記平面に沿うようにして一対の対向するブレーカ壁面の間に流れ込み、このブレーカ壁面に擦過して抵抗を受けることによりカールさせられて処理される。
【００１５】
そして、このとき、上記ブレーカ壁面同士の間に、上記平面に垂直に延びるブレーカ底面を形成しておけば、このブレーカ底面にも切屑を擦過させて抵抗を与えることができるとともに、これらブレーカ壁面同士の間隔が狭まりすぎるのを防ぐことができて、このような仕上げ旋削の際の切屑がこれら一対の対向するブレーカ壁面に挟まれてしまうことにより詰まりを生じるような事態も防止することができる。
【発明の効果】
【００１６】
以上説明したように、本発明によれば、ステンレス鋼のような難削材でも、切刃に鋭い切れ味を与えるとともに、この切刃によって生成された切屑には過度の抵抗が与えられるのを防ぐことにより、バリを生じることなく旋削加工を行うことができて、切刃やすくい面に境界損傷が生じるのを防ぎ、インサート寿命の延長を図ることができる。その一方で、こうして生成された切屑は確実に分断して処理することができるので、円滑な旋削加工を安定して行うことが可能となる。
【図面の簡単な説明】
【００１７】
【図１】本発明の一実施形態を示す斜視図である。
【図２】図１に示す実施形態の平面図である。
【図３】図１に示す実施形態の側面図である。
【図４】図１に示す実施形態のコーナ部周辺の拡大斜視図である。
【図５】図１に示す実施形態のコーナ部周辺の拡大平面図である。
【図６】図６におけるＶＶ断面図である。
【図７】図６におけるＷＷ断面図である。
【図８】図６におけるＸＸ断面図である。
【図９】図６におけるＹＹ断面図である。
【図１０】図６におけるＺＺ断面図である。
【発明を実施するための形態】
【００１８】
図１ないし図１０に示す本発明の一実施形態の切削インサートは、そのインサート本体１が超硬合金等の硬質材料により菱形平板状に形成され、その一対の菱形状をなす面がすくい面２とされるとともに、４つの側面は逃げ面３とされ、これらすくい面２と逃げ面３との交差稜線部に切刃４がそれぞれ形成されている。なお、すくい面２がなす菱形の各コーナ部は、逃げ面３が円筒面状に形成とされることにより凸円弧状に形成されており、すくい面２の直線状に延びる４つの辺稜部にそれぞれ滑らかに接するコーナ刃５とされている。
【００１９】
ここで、これら切刃４およびコーナ刃５は、表裏のすくい面２ごとに、図３に示すようにそれぞれインサート本体１の厚さ方向（図３および図６〜１０における上下方向。以下、インサート厚さ方向と称する。）に垂直な１つの平面Ｐ上に位置するように形成されている。また、すくい面２の内側には、該すくい面２がなす菱形よりも一回り小さな菱形状をなすインサート厚さ方向に垂直なボス面６が、上記平面Ｐよりもインサート厚さ方向に僅かに突出するように形成されている。
【００２０】
さらに、インサート本体１の表裏のこれらボス面６の中央には、このインサート本体１をインサート着脱式の切削工具（旋削工具）のインサート取付座に取り付けるためのクランプネジが挿通される取付孔７が、インサート本体１をインサート厚さ方向に貫通して開口するように形成されており、当該インサート本体１は、この取付孔７の中心線回りに１８０°回転対称形状に形成されているとともに、インサート厚さ方向の中央に位置するインサート本体１の断面がなす菱形の各対角線回りにも１８０°回転対称形状、すなわち表裏反転対称形状とされ、さらにすくい面２がなす菱形の各コーナ部を二等分する平面Ｑ、すなわち該菱形の対角線に沿った平面に関しても対称形状とされている。
【００２１】
図４ないし図１０は、このようなインサート本体１の鋭角をなすコーナ部を示すものである。これらの図に示すように、コーナ部のすくい面２上には、該コーナ部を二等分する平面Ｑに沿って、すなわちすくい面２がなす菱形の対角線を含んでインサート厚さ方向に延びる平面に沿って、ブレーカ溝８が、切刃４およびコーナ刃５から間隔をあけて、上記ボス面６がなす菱形のコーナ部に至るように、すくい面２に対向する平面視において細長く延びるように形成されている。すなわち、このブレーカ溝８は、そのすくい面２における開口縁の上記平面Ｑに沿った長さが、該平面Ｑに直交する方向の溝幅より大きくされている。
【００２２】
このブレーカ溝８は、図７および図８に示すように、上記平面Ｑを間にして互いに対向するように配置された一対のブレーカ壁面８Ａと、該ブレーカ溝８の溝底においてこれらのブレーカ壁面８Ａに交差するブレーカ底面８Ｂとにより構成されている。このうち、一対のブレーカ壁面８Ａは、ブレーカ底面８Ｂから立ち上がるに従って上記平面Ｑから離間するように傾斜するとともに、コーナ刃５側からボス面６側に向かうに従っても平面Ｑから離間するように形成されている。
【００２３】
従って、ブレーカ溝８は、上記インサート厚さ方向に沿って平面Ｑに直交する断面において、図７および図８に示したようにブレーカ底面８Ｂからすくい面２側に向けてブレーカ壁面８Ａによる溝幅が拡がるＶ字状とされるとともに、すくい面２に対向する平面視においても図５に示すようにコーナ刃５側からボス面６側に向けてブレーカ壁面８Ａ同士が離れて溝幅が拡がるＶ字状を呈することになる。
【００２４】
また、ブレーカ底面８Ｂは、図７および図８に示すように上記平面Ｑに垂直に延びるとともに、本実施形態では図６に示すようにインサート厚さ方向にも垂直に延びる平坦面状に形成されており、従って切刃４およびコーナ刃５が位置する上記平面Ｐからのブレーカ溝８の溝深さは一定とされている。なお、このブレーカ底面８Ｂは、ブレーカ壁面８Ａが上記平面視においてＶ字状を呈することからコーナ刃５側に向けて先細りとなるように形成され、ただしこのブレーカ底面８Ｂと一対のブレーカ壁面８Ａとの交線がなす挟角θは、当該ブレーカ溝８が形成されたコーナ部Ｃにおいて上記コーナ刃５に交差する一対の切刃４がなす交差角よりも小さくされる。
【００２５】
なお、このブレーカ溝８のコーナ刃５側では、一対のブレーカ壁面８Ａが、すくい面２に対向する平面視において図５および図６に示すように、インサート厚さ方向に沿ってコーナ刃５の略中心を通る中心線を有してブレーカ底面８Ｂからすくい面２側に向かうに従い漸次拡径する略凹円錐面状をなすように形成されて、コーナ刃５に連なるすくい面２に鈍角に交差するようにされている。ここで、切刃４およびコーナ刃５に直交する断面におけるブレーカ壁面８Ａの上記平面Ｐに対する傾斜角αは、このコーナ刃５の中央の突端を通る上記平面Ｑに沿った断面で最も大きくされ、この中央突端からコーナ刃５の両端、さらに切刃４に沿って、図６および図９、１０に示すように該中央突端から離間するに従い漸次小さくなるようにされている。
【００２６】
一方、ブレーカ溝８のコーナ刃５とは反対側には、このブレーカ溝８のブレーカ壁面８Ａおよびブレーカ底面８Ｂから上記ボス面６に向けて立ち上がるに従いインサート本体１の内側（取付孔７側）に向けて傾斜する傾斜平面６Ａが、上記平面Ｑに直交してボス面６がなす菱形のコーナ部を面取りするように形成されている。また、このブレーカ溝８を除いたすくい面２の内側からボス面６にかけても、同様に傾斜する傾斜平面６Ｂが形成されている。
【００２７】
さらに、上記切刃４に連なるすくい面２は、この切刃４から離間してインサート本体１の内側に向かうに従い上記インサート厚さ方向に漸次後退するように傾斜するポジすくい面とされている。また、本実施形態ではコーナ刃５に連なってブレーカ溝８のブレーカ壁面８Ａに交差するコーナ刃すくい面２Ａも、コーナ刃５から離間して該コーナ刃５がなす凸円弧の中心に向かうに従い同じくインサート厚さ方向に漸次後退するように傾斜する略凹円錐台面状のポジすくい面とされている。
【００２８】
ただし、これらポジすくい面とされたすくい面２およびコーナ刃すくい面２Ａが、切刃４およびコーナ刃５に直交する断面において上記平面Ｐに対してなす傾斜角βは、いずれの断面においても上記ブレーカ壁面８Ａが平面Ｐに対してなす傾斜角αより小さくされている。また、このうちコーナ刃すくい面２Ａにおける傾斜角βは、コーナ刃５の中央突端を通る上記平面Ｑに沿った断面で最も大きくされていて、この中央突端からコーナ刃５の両端に向かうに漸次小さくなるようにされているのに対し、このコーナ刃５に交差する切刃４に連なるすくい面２の傾斜角βは該切刃４に沿って一定の大きさとされ、従ってこの切刃４に連なるすくい面２は上述のように傾斜する傾斜平面状とされる。
【００２９】
さらに、上記平面視においてブレーカ溝８がなすＶ字の挟角θが、コーナ刃５に交差する一対の切刃４の交差角よりも小さくされていることから、これら切刃４に連なる上記傾斜平面状とされたすくい面（ポジすくい面）２は、その幅Ａがコーナ刃５側から離間するに従い漸次幅広となってゆき、このすくい面２とブレーカ溝８のブレーカ壁面８Ａとの交差稜線は、コーナ刃５側から離間するに従い漸次インサート厚さ方向に後退することになるとともに、本実施形態では図７および図８に示すように上記平面Ｑに垂直なインサート厚さ方向に沿った断面でも、また図９および図１０に示すように切刃４に直交する断面においても、すくい面２の延長線上には反対側のブレーカ壁面８Ａが互いに位置することになる。なお、この交差稜線は、ブレーカ壁面８Ａの傾斜角αがコーナ刃５側から離間するに従い漸次小さくなる捩れ面状に形成されることから、上記平面視において上記平面Ｑに対して外側に僅かに膨らんだ凸曲線状を呈することになる。
【００３０】
このような構成の切削インサートでは、こうして一対の切刃４に連なるすくい面２が、各切刃４から離間するに従いインサート厚さ方向に漸次後退するように傾斜したポジすくい面とされているので、そのすくい角を正角側に大きくすることにより切刃４に鋭い切れ味を与えることができて切削抵抗の低減を図ることができる。このため、ステンレス鋼のような難削材に対して切り込み境界がこの切刃４上に位置するようなある程度の切り込み量で旋削加工を行う場合に、加工面側の切り込み境界部分にバリが生じるのを防ぐことができ、加工硬化したこのようなバリを削り取る際に切刃４やすくい面２が傷付けられて境界損傷が発生するのを防止することができる。
【００３１】
また、こうして切刃４により切れ味良く被削材から切削された切屑は、ポジすくい面とされたすくい面２上を擦過する。このとき、切屑には抵抗が与えられてカールされ易い状態となり、しかもすくい面２が切刃４に沿ってコーナ刃５側から離間するに従いその幅Ａは漸次幅広となっているため、切り込み量が大きくなるに従い切屑のコーナ刃から離れた側で漸次大きくなるように適度な抵抗を与えることができる。ただし、この抵抗は、切屑がすくい面２を擦過することによるものであって、特許文献１〜３記載の切削インサートにおける突起やブレーカ、リブに切屑が衝突した際の抵抗のように、詰まりを生じるような大きな抵抗となることはない。
【００３２】
次いで、こうしてすくい面２を擦過した切屑はブレーカ溝８内に流れ込むが、このすくい面２の傾斜角βに対してブレーカ溝８のブレーカ壁面８Ａはその傾斜角αが大きくされているため、ブレーカ溝８内で切屑は、擦過した側のすくい面２に連なるブレーカ壁面８Ａやブレーカ底面８Ｂには接触することなく上記平面Ｑを越えて、該平面Ｑに対して対称に形成されてこのすくい面２の延長線上に位置することになる反対側のブレーカ壁面８Ａに当たり、その流出の向きが該ブレーカ壁面８Ａに沿った向きに変えられて適切にカールさせられ、分断されて処理される。
【００３３】
このように、上記構成の切削インサートによれば、切刃４に与えられた鋭い切れ味と、該切刃４により生成された切屑に過度の抵抗が作用することがないこととにより、切削抵抗の低減を図ることができ、ステンレス鋼のような難削材の旋削加工でも加工硬化したバリが発生するのを防止し、切刃４やすくい面２の切り込み境界に損傷が生じるのを防いでインサート寿命を延長することができる。その一方で、抵抗少なく流出した切屑は、上記反対側のブレーカ壁面８Ａによって確実に処理することができるので、かかる切屑が被削材やインサート着脱式旋削工具の工具本体に絡まったりすることもなく、従って円滑な旋削加工を長期に亙って安定して行うことが可能となる。
【００３４】
また、本実施形態では、切刃４に連なるポジすくい面とされたすくい面２のなす傾斜角βが該切刃４に沿って一定の大きさとされており、従ってこの切刃４に与えられる切れ味も該切刃４に沿って略一定とすることができる。すなわち、切り込み量が大きい場合でも、部分的に切刃４の切れ味が鈍って切屑に作用する抵抗が大きくなったりすることがないので、より円滑に切屑をすくい面２に流出させることができてバリの発生を抑えることが可能となる。
【００３５】
さらに、このすくい面２に連なるブレーカ溝８のブレーカ壁面８Ａは、その切刃４に垂直な断面における傾斜角αが、該切刃４に沿ってコーナ刃５側から離間するに従い漸次小さくなるようにされている。このため、切り込み量が大きい場合において、この切り込みの境界部分で生成された切屑がすくい面２を擦過して平面Ｑと反対側のブレーカ壁面８Ａに当たったときに、その流出の方向が著しく変えられることにより抵抗が大きくなりすぎて切屑が詰まり気味になるのを防ぐことができ、上記境界部分でのバリの発生をより効果的に防止することができる。
【００３６】
また、本実施形態では、このブレーカ壁面８Ａが形成されるブレーカ溝８は上記平面Ｑに沿って延びる溝長さが溝幅より大きい細長溝状とされているので、このように切り込み量が比較的大きい場合でも、ボス面６に連なる傾斜平面６Ａ、６Ｂに切屑を衝突させて過度の抵抗を生じることなく、ブレーカ溝８内に導いて上記反対側のブレーカ壁面８Ａに当てることにより処理することができる。
【００３７】
さらに、このブレーカ溝８は、すくい面２に対向する平面視においてコーナ刃５側から離間するに従いブレーカ壁面８Ａ同士が離れて溝幅が拡がるＶ字状を呈しており、従って切り込み量が大きい場合の切り込み境界部分で生成された切屑は、切刃４に連なるすくい面２を擦過してブレーカ溝８内に流れ込んでから、反対側のブレーカ壁面８Ａに当たるまでに、より長い距離すくい面２やブレーカ壁面８Ａに接触せずに抵抗を受けない状態となる。このため、本実施形態では、かかる部分で生成された切屑の流出を一層滑らかなものとして、バリの発生をさらに確実に防止することが可能となる。
【００３８】
一方、このように切り込み量が大きくはなく、切刃のうちでも上記コーナ刃５部分だけが使用される低切り込みの旋削加工においては、もともとバリが生じることが少なく、該コーナ刃５によって生成された幅の小さな切屑は、そのまま平面Ｑに沿うようにブレーカ溝８内に導かれてブレーカ壁面８Ａと摺接することにより抵抗を受けてカールさせられ、分断処理される。
【００３９】
そして、このとき、本実施形態の切削インサートでは、これらブレーカ壁面８Ａがブレーカ溝８の溝底でＶ字状に交差することなく、このブレーカ溝８の溝底に上記平面Ｑに対して垂直なブレーカ底面８Ｂが形成されているので、こうしてブレーカ溝８内に導かれた切屑がブレーカ壁面８Ａ同士の間に挟み込まれて詰まってしまうような事態が生じるのも防ぐことができる。従って、本実施形態の切削インサートによれば、上述のような切り込みの大きい場合から、このように低切り込みの旋削加工でも、安定した切屑の処理を促すことが可能となる。
【００４０】
ただし、本実施形態では、こうしてブレーカ溝８の溝底に上記平面Ｑに対して垂直なブレーカ底面８Ｂが形成されているが、専ら高切込みの旋削加工のみに使用される場合には、このようなブレーカ底面８Ｂが形成されずに、ブレーカ壁面８Ａ同士がブレーカ溝８の溝底でＶ字状に交差するようにされていてもよい。同様に、ポジすくい面とされたすくい面２の傾斜角βは切刃４に沿って一定でなくとも、漸次大きくなったり小さくなったりしていてもよく、またブレーカ壁面８Ａの傾斜角αは、切刃４に沿ってコーナ刃５から離間するに従い漸次小さくならずとも、一定であったり逆に次大きくなっていたりしてもよい。さらに、コーナ部は上記平面Ｑに関して対称に形成されているが、これについても、一方の切刃４に連なるすくい面２（ポジすくい面）の延長線上に、他方の切刃４に連なるブレーカ壁面８Ａが位置するように配置されていれば、非対称形状とされていてもよい。
【符号の説明】
【００４１】
１  インサート本体
２  すくい面（ポジすくい面）
２Ａ  コーナ刃すくい面
３  逃げ面
４  切刃
５  コーナ刃
８  ブレーカ溝
８Ａ  ブレーカ壁面
８Ｂ  ブレーカ底面
Ｑ  コーナ部を二等分する平面
α  ブレーカ壁面８Ａの傾斜角
β  すくい面２の傾斜角
【図１】
2010214562.tif 000003
【図２】
2010214562.tif 000004
【図３】
2010214562.tif 000005
【図４】
2010214562.tif 000006
【図５】
2010214562.tif 000007
【図６】
2010214562.tif 000008
【図７】
2010214562.tif 000009
【図８】
2010214562.tif 000010
【図９】
2010214562.tif 000011
【図１０】
2010214562.tif 000012